(57)【要約】      （修正有）【課題】バッグ内の既存テーブルの他に折り畳み式の併設テーブルを備えるバッグにおいて、組み立て工程の簡素化を図る。【解決手段】バッグにバッグの形態で使用する際には棚として機能する第１テーブルを設け、テーブル面積の拡大を図ることができる第２テーブル３を設け、第１テーブルに対して第２テーブル３を垂直に折り畳むことで第２テーブル３は第１テーブル上の積載物を保持するための壁として機能するバッグであって、垂直に折り畳む状態にある第２テーブル３の両側のテーブル側面４の各々に対向する支柱５を設け、支柱５同志を介する補強板６を支柱５に固着し、支柱５の各々に第１爪７及び、第１爪７を固定する止めネジ８を設け、止めネジ８を中心に第１爪７を回転させて第１爪７が第２テーブル３に突出することで支柱５同志の空間内に格納する第２テーブル３のテーブル裏面９を抱える様にしてバッグに第２テーブル３を固定する。【選択図】図１
2009000465.tif 000002
【特許請求の範囲】
【請求項１】
バッグ（１）にバッグの形態で使用する際には棚として機能する第１テーブル（２）を設け、第１テーブル（２）に対して水平に併設することでテーブル面積の拡大を図ることができる第２テーブル（３）を設け、第１テーブル（２）に対して第２テーブル（３）を垂直に折り畳むことで第２テーブル（３）は第１テーブル（２）上の積載物を保持するための壁として機能するバッグ（１）であって、垂直に折り畳む状態にある第２テーブル（３）の両側のテーブル側面（４）の各々に対向する支柱（５）を設け、支柱（５）同志を介する補強板（６）を支柱（５）に固着し、支柱（５）の各々に第１爪（７）及び、第１爪（７）を固定する止めネジ（８）を設け、止めネジ（８）を中心に第１爪（７）を回転させて第１爪（７）が第２テーブル（３）に突出することで支柱（５）同志の空間内に格納する第２テーブル（３）のテーブル裏面（９）を抱える様にしてバッグ（１）に第２テーブル（３）を固定する様にしたバッグのテーブル格納構造。
【発明の詳細な説明】
【技術分野】
【０００１】  本発明は折り畳み式の併設テーブルを備えるバッグに関するものである。
【背景技術】
【０００２】  特開２０００−３００３４１号公報に示される様にバッグ内の既存テーブルの他に折り畳み式の併設テーブルを備えるバッグの場合、バッグ側に第１固定器具を設け、併設テーブル側に第２固定器具を設け、第１固定器具と契合関係にある第２固定器具が第１固定器具と結合することで併設テーブルをバッグに格納することができる。
【発明が解決しようとする課題】
【０００３】  併設テーブルのテーブル面をバッグに契合する構成においては第２固定器具をテーブル面又は、テーブル側面に設けることで、バッグに設ける第１固定器具との結合を行うことができる。但し、テーブル面又は、テーブル側面の一部を占有することになる第２固定器具の存在が併設テーブルとして使用する際の作業の妨げになる懸念がある。本発明は併設テーブルとして使用する際の作業に支障を来すことになる第２固定器具を撤廃することができる構成を提供し、併せて、併設テーブルが設けられるバッグの２つの側面である、正面及び背面の組み立て工程の簡素化を図るものである。
【課題を解決するための手段】
【０００４】  バッグ１にバッグの形態で使用する際には棚として機能する第１テーブル２を設け、第１テーブル２に対して水平に併設することでテーブル面積の拡大を図ることができる第２テーブル３を設け、第１テーブル２に対して第２テーブル３を垂直に折り畳むことで第２テーブル３は第１テーブル２上の積載物を保持するための壁として機能するバッグ１であって、垂直に折り畳む状態にある第２テーブル３の両側のテーブル側面４の各々に対向する支柱５を設け、支柱５同志を介する補強板６を支柱５に固着し、支柱５の各々に第１爪７及び、第１爪７を固定する止めネジ８を設け、止めネジ８を中心に第１爪７を回転させて第１爪７が第２テーブル３に突出することで支柱５同志の空間内に格納する第２テーブル３のテーブル裏面９を抱える様にしてバッグ１に第２テーブル３を固定する。
【発明を実施するための最良の形態】
【０００５】  図１は第２テーブル３及び支柱５の配置を示すものであり、第２テーブル３がバッグの形態である、垂直に折り畳まれた状態を表している。又、第２テーブル３の両側のテーブル側面４の各々に対向する支柱５を設け、支柱５同志を介する補強板６を支柱５に固着する。つまり、支柱５同志を介する複数の補強板６により支柱５を支持し、支柱５同志の空間内に第２テーブル３が収まる様にする。又、支柱５の各々に第１爪７及び、第１爪７を固定する止めネジ８を設け、止めネジ８を中心に第１爪７を回転させて第１爪７が第２テーブル３に突出することで格納する第２テーブル３のテーブル裏面９を抱える様にしてバッグ１に固定することができる。つまり、従来の構成においてはバッグ１に設ける第１固定器具及び、第２テーブル３に設ける第２固定器具の結合によりバッグ１に第２テーブル３を固定するのに対し、本発明の構成においては第２テーブル３に設けるべき第２固定器具を不要とし、第１固定器具に相当する第１爪７及び止めネジ８のみの構成によりバッグ１に第２テーブル３を固定することで本件の課題が解決されたことになる。
又、本件のもう１つの課題である第２テーブル３が設けられるバッグ１の正面及び背面の組み立て工程の簡素化については、第２テーブル３は補強板６により支持される支柱５同志の空間内に収まると共に、第２テーブル３は支柱５の各々に設ける第１爪７及び止めネジ８により固定され、この一式の構成がバッグ１の正面又は背面の１面を担うことでバッグ１の正面及び背面の組み立て工程が簡素化されたことになる。なお、図１に示す１０は第２テーブル３を併設する際に第２テーブル３を支持するための折り畳み式の脚である。
【実施例】
【０００６】  又、第２テーブル３が設けられるバッグ１の正面及び背面の組み立て工程の簡素化について、第２テーブル３の下方に壁１１を設け、壁１１を支柱５及び補強板６に固定し、この構成を前記した一式の構成に付加したものを簡素化の一例として掲げるものである。なお、図１に示す壁１１は支柱５及び補強板６から分離して表記している。
又、支柱５は角棒や中空の角棒の他、アングル又は、断面がコ形状のチャンネルの採用が図られるが、アングルやチャンネルに角棒を固着させた接合型の支柱５とすることも適切である。
又、図１においては支柱５同志を介する補強板６を支柱５の中程及び下端に固着して上端には固着しない様にし、前記した一式の構成をバッグ１に組み込む際にバッグ１の天板１２を補強板６の代替として支柱５の上端に固着させる。
又、第２テーブル３は抜き差しにより第１テーブル２に併設される他、第２テーブル３は水平に傾ける操作に伴って第１テーブル２とを固定する蝶番が回転することで第１テーブル２に併設されることになる。但し、本発明においては前記の手段の代替として、支柱５側に設ける軸１３が第２テーブル３側に設ける軸受け１４と組み合う構成により、第２テーブル３は水平に傾ける操作に伴って軸受け１４が回転することで第１テーブル２に併設されることになる。つまり、図２に示す様にテーブル裏面９に縁１５を設け、縁１５は第２テーブル３を第１テーブル２に水平に併設する際にバッグ１に密着する様にし、縁１５の両側に軸受け１４を設け、支柱５に軸受け１４の各々と契合する軸１３を設ける。なお、図２に示す様に第２テーブル３の動きに応じた軌跡に沿う様に軸受け１４の部位を拡張することで、第２テーブル３を格納するために第２テーブル３を第１テーブル２から乖離する際は第１テーブル２と第２テーブル３との接触の防止を図ると共に、第２テーブル３を第１テーブル２に併設する際は第１テーブル２と第２テーブル３との間の隙間を無くして整合性を高めることができる。つまり、例えば第２テーブル３を第１テーブル２に併設する際は第２テーブル３を傾ける操作に順応して軸受け１４が円滑に回転し、脚１０を開く操作と併せて第２テーブル３が水平に至る時点において第２テーブル３を第１テーブル２の方向に強めに押す操作に順応して軸受け１４が軸１３を窮屈にトレースして第２テーブル３は第１テーブル２とを介する後記の横棒２０に密着して整合されることになる。なお、窮屈に造作される軸受け１４の拡張部位は板バネ等のバネ類を配置し、バネの復元を押し返す様にして軸受け１４が軸１３をトレースする代替手段が図られる。
又、支柱５にストッパー１６を設け、格納される第２テーブル３をストッパー１６が受け止めることで第１爪７による固定が確実に行える様にする。
又、図３は図２の構成のものをバッグ１に組み込んだものであり、図２の構成のものが図２の点線で示される第１テーブル２や天板１２等のバッグ１の構成部位に結合することになる。又、図３に示す様に天板１２の側面の中程に第２爪１７及び、第２爪１７を固定する止めネジ８を設け、止めネジ８を中心に第２爪１７を回転させて第２爪１７が第２テーブル３に突出することで支柱５同志の空間内に格納する第２テーブル３のテーブル裏面９を抱える様にしてバッグ１に第２テーブル３を固定するものである。つまり、図３は第２テーブル３が水平に併設された状態を表しているが、第２テーブル３をバッグ１に格納する際には支柱５同志の空間内に収まる第２テーブル３が第２テーブル３に突出する第２爪１７により仮止めされ、その後において第２テーブル３は第２テーブル３に突出する第１爪７により固定されることになる。
又、第１テーブル２上の積載物を外気から遮断して保冷効果を高めるための引き戸１８を支柱５同志の空間内に収めることもできる。つまり、図２に示す様に支柱５同志を介する補強板６が支柱５の上端に固着される構成を付加し、引き戸１８の上下に引き戸１８を開閉するためのレール１９を設け、支柱５同志の空間内に設ける横棒２０に各々のレール１９を固着し、支柱５の上端に設ける補強板６に上方の横棒２０を固着し、支柱５の中程に設ける補強板６に下方の横棒２０を固着することで引き戸１８は２本の支柱５及び、２本の横棒２０により造作される枠内に収まる様にする。なお、レール１９及び横棒２０を一体成型し、補強板６にレール１９を一体成型した横棒２０を固着することで引き戸１８を２本の支柱５及び、一体成型した２本の横棒２０により造作される枠内に収める代替手段が図られる。又、図２に示す様に支柱５の中程に設ける補強板６及び横棒２０は設置箇所の制約を受けないことから、支柱５の上端に設ける補強板６及び横棒２０と比較して規模を大きくすることができる。
又、図３に示す２１はバッグ１の側面に設ける保護素材であり、又、２２は天板１２上に設ける運搬のための取っ手であり、バッグ１を構成する４つの側面の中で第２テーブル３や引き出し２３の設置を為さない平坦な１側面を保護素材２１で覆うことでバッグ１との接触に対して運搬する者の身体保護を図る様にする。
【発明の効果】
【０００７】（イ）  第２テーブル３側に格納するための固定器具を設けないために併設テーブルとして使用する際の作業が円滑に行える他、固定器具に接触することで怪我を負う懸念も無い。併せて、第２テーブル３のテーブル面又は、テーブル側面４を固定器具不在の美しい外観にすることができる。
（ロ）  第２テーブル３を支柱５同志の空間内に収めることで第２テーブル３が格納されるバッグ１の正面及び背面の組み立て工程を簡素化することができる。同様に引き戸１８を支柱５同志の空間内に収めることで第２テーブル３が格納されるバッグ１の正面及び背面の組み立て工程を簡素化することができる。
（ハ）  支柱５側に設ける軸１３が第２テーブル３側に設ける軸受け１４と組み合う構成は第１テーブル２と第２テーブル３との固定手段が不要であることで、従来における第１テーブル２と第２テーブル３との固定手段である抜き差し式や蝶番による固定手段と比較して第２テーブル３が格納されるバッグ１の正面及び背面の組み立て工程の簡素化を促進することができる。
（ニ）  支柱５は第２テーブル３が格納されるバッグ１の正面及び背面に設けられるが、このことは支柱５がバッグ１の４隅にバッグ１の上下を一貫して配置されることであるからバッグ１の強化に貢献することができる。
（ホ）  第２テーブル３が格納されるバッグ１の正面及び背面の組み立て工程の簡素化のために第２テーブル３の下方に壁１１を設け、壁１１を支柱５及び補強板６に固定する構成について、第２テーブル３の下方に壁１１を設けない場合はバッグ１内に設ける引き出し２３の側壁が壁１１の機能を担うことでバッグ１の軽量化が可能である。但し、壁１１を設ける場合は壁１１に断熱構成を備えることで引き出し２３内の保冷効果を高めることができる。つまり、壁１１と契合する支柱５及び補強板６に対して壁１１が着脱できる様にして使用目的に順応させることが可能である。
【図面の簡単な説明】
【図１】  第２テーブル３及び支柱５の配置を示す正面図
【図２】  軸１３周辺を示す側面図
【図３】  図２の構成に基づくバッグ１の正面図
【符号の説明】
１  バッグ                ２  第１テーブル          ３  第２テーブル
４  テーブル側面          ５  支柱                  ６  補強板
７  第１爪                ８  止めネジ              ９  テーブル裏面
１０  脚                  １１  壁                  １２  天板
１３  軸                  １４  軸受け              １５  縁
１６  ストッパー          １７  第２爪              １８  引き戸
１９  レール              ２０  横棒                ２１  保護素材
２２  取っ手              ２３  引き出し
【図１】
2009000465.tif 000003
【図２】
2009000465.tif 000004
【図３】
2009000465.tif 000005